(57)【要約】【課題】時刻合わせを１秒単位より短い単位で行うことができない。【解決手段】時刻合わせの基準となる時刻を表す時刻情報を（ｋ＋ｎ／ｍ）秒毎に受信する受信回路と、１秒毎に時刻を表す時刻パルスを生成する時計回路と、前記時刻情報により表される時刻と前記時刻パルスにより表される時刻とを比較する制御回路と、を含み、前記時計回路は、前記制御回路が、前記時刻情報により表される時刻と前記時刻パルスにより表される時刻とが一致しないと判断するとき、当該時刻情報を受信した時点で、当該時刻情報により表される時刻を表す時刻パルスを生成する時計回路と、を含む。【選択図】図５
2009236530.tif 000002
【特許請求の範囲】
【請求項１】
時刻合わせの基準となる時刻を表す時刻情報を（ｋ＋ｎ／ｍ）秒（ｋは任意の正の整数。ｍは任意の正の整数。ｎはその絶対値がｍより小さい任意の整数。）毎に受信する受信回路と、
１秒毎に時刻を表す時刻信号を生成する時計回路と、
前記時刻情報により表される時刻と前記時刻信号により表される時刻とを比較する制御回路と、を含み、
前記時計回路は、前記制御回路が、前記時刻情報により表される時刻と前記時刻信号により表される時刻とが一致しないと判断するとき、当該時刻情報を受信した時点で、当該時刻情報により表される時刻を表す時刻信号を生成することを特徴とする受信装置。
【請求項２】
１秒毎に時刻を表す時刻信号を生成するクロック回路と、
時刻合わせの基準となる時刻を表す時刻情報を（ｋ＋ｎ／ｍ）秒（ｋは任意の正の整数。ｍは任意の正の整数。ｎはその絶対値がｍより小さい任意の整数。）毎に生成する制御回路と、
前記時刻信号により表される時刻と、前記時刻情報により表される時刻とが一致しないとき、正時である旨を示す正時情報を送信する送信回路と、を含むことを特徴とする送信装置。
【請求項３】
請求項２記載の送信装置に対向する受信装置であって、
前記正時情報を受信する受信回路と、
１秒毎に時刻を表す時刻信号を生成する時計回路であって、前記正時情報を受信した時点で、当該正時情報を受信した時点の直前に生成した時刻信号により表される時刻の次の時刻を表す時刻信号を生成する時計回路と、を含むことを特徴とする受信装置。
【請求項４】
時刻合わせの基準となる時刻を表す時刻情報を（ｋ＋ｎ／ｍ）秒（ｋは任意の正の整数。ｍは任意の正の整数。ｎはその絶対値がｍより小さい任意の整数。）毎に受信する受信工程と、
１秒毎に時刻を表す時刻信号を生成する時計工程と、
前記時刻情報により表される時刻と前記時刻信号により表される時刻とを比較する制御工程と、を含み、
前記時計工程は、前記制御工程が、前記時刻情報により表される時刻と前記時刻信号により表される時刻とが一致しないと判断するとき、当該時刻情報を受信した時点で、当該時刻情報により表される時刻を表す時刻信号を生成することを特徴とする受信方法。
【請求項５】
１秒毎に時刻を表す時刻信号を生成するクロック工程と、
時刻合わせの基準となる時刻を表す時刻情報を（ｋ＋ｎ／ｍ）秒（ｋは任意の正の整数。ｍは任意の正の整数。ｎはその絶対値がｍより小さい任意の整数。）毎に生成する制御工程と、
前記時刻信号により表される時刻と、前記時刻情報により表される時刻とが一致しないとき、正時である旨を示す正時情報を送信する送信工程と、を含むことを特徴とする送信方法。
【請求項６】
請求項５記載の送信方法と協働する受信方法であって、
前記正時情報を受信する受信工程と、
１秒毎に時刻を表す時刻信号を生成する時計工程であって、前記正時情報を受信した時点で、当該正時情報を受信した時点の直前に生成した時刻信号により表される時刻の次の時刻を表す時刻信号を生成する時計工程と、を含むことを特徴とする受信方法。
【請求項７】
時刻合わせの基準となる時刻を表す時刻情報を（ｐｋ＋ｎ／ｍ）秒（ｐは任意の正の整数。ｋは任意の正の整数。ｍは任意の正の整数。ｎはその絶対値がｍより小さい任意の整数。）毎に受信する受信回路と、
ｐ秒毎に時刻を表す時刻信号を生成する時計回路と、
前記時刻情報により表される時刻と前記時刻信号により表される時刻とを比較する制御回路と、を含み、
前記時計回路は、前記制御回路が、前記時刻情報により表される時刻と前記時刻信号により表される時刻とが一致しないと判断するとき、当該時刻情報を受信した時点で、当該時刻情報により表される時刻を表す時刻信号を生成することを特徴とする受信装置。
【請求項８】
ｐ秒（ｐは任意の正の整数。）毎に時刻を表す時刻信号を生成するクロック回路と、
時刻合わせの基準となる時刻を表す時刻情報を（ｐｋ＋ｎ／ｍ）秒（ｋは任意の正の整数。ｍは任意の正の整数。ｎはその絶対値がｍより小さい任意の整数。）毎に生成する制御回路と、
前記時刻信号により表される時刻と、前記時刻情報により表される時刻とが一致しないとき、正時である旨を示す正時情報を送信する送信回路と、を含むことを特徴とする送信装置。
【請求項９】
請求項８記載の送信装置に対向する受信装置であって、
前記正時情報を受信する受信回路と、
ｐ秒毎に時刻を表す時刻信号を生成する時計回路であって、前記正時情報を受信した時点で、当該正時情報を受信した時点の直前に生成した時刻信号により表される時刻の次の時刻を表す時刻信号を生成する時計回路と、を含むことを特徴とする受信装置。
【請求項１０】
時刻合わせの基準となる時刻を表す時刻情報を（ｐｋ＋ｎ／ｍ）秒（ｐは任意の正の整数。ｋは任意の正の整数。ｍは任意の正の整数。ｎはその絶対値がｍより小さい任意の整数。）毎に受信する受信工程と、
ｐ秒毎に時刻を表す時刻信号を生成する時計工程と、
前記時刻情報により表される時刻と前記時刻信号により表される時刻とを比較する制御工程と、を含み、
前記時計工程は、前記制御工程が、前記時刻情報により表される時刻と前記時刻信号により表される時刻とが一致しないと判断するとき、当該時刻情報を受信した時点で、当該時刻情報により表される時刻を表す時刻信号を生成することを特徴とする受信方法。
【請求項１１】
ｐ秒（ｐは任意の正の整数。）毎に時刻を表す時刻信号を生成するクロック工程と、
時刻合わせの基準となる時刻を表す時刻情報を（ｐｋ＋ｎ／ｍ）秒（ｋは任意の正の整数。ｍは任意の正の整数。ｎはその絶対値がｍより小さい任意の整数。）毎に生成する制御工程と、
前記時刻信号により表される時刻と、前記時刻情報により表される時刻とが一致しないとき、正時である旨を示す正時情報を送信する送信工程と、を含むことを特徴とする送信方法。
【請求項１２】
請求項１１記載の送信方法と協働する受信方法であって、
前記正時情報を受信する受信工程と、
ｐ秒毎に時刻を表す時刻信号を生成する時計工程であって、前記正時情報を受信した時点で、当該正時情報を受信した時点の直前に生成した時刻信号により表される時刻の次の時刻を表す時刻信号を生成する時計工程と、を含むことを特徴とする受信方法。
【発明の詳細な説明】
【技術分野】
【０００１】
本発明は、電波時計及び携帯電話のような時刻調整の機能を有する受信装置及び受信方法、並びに、当該受信装置に当該時刻調整のための情報を送信する送信装置及び送信方法に関する。
【背景技術】
【０００２】
下記の特許文献１に記載された「時刻補正」の機能を有する、送信装置及び受信装置からなる従来の通信システムでは、送信装置は、正時（正確な時刻）を表す正時情報を周期的に受信装置へ送信し、受信装置は、当該正時情報に基づき、時刻合わせを行う。
【０００３】
【特許文献１】特開２００６−１５７５２７号公報
【発明の開示】
【発明が解決しようとする課題】
【０００４】
しかしながら、上記した従来の通信システムでは、送信装置が、受信装置への正時情報の送信を１秒毎に行い、換言すれば、１秒より短い単位で行わないことから、受信装置は、時刻合わせを１秒単位より短い単位で行うことができないという問題があった。
【課題を解決するための手段】
【０００５】
本発明は、上記した課題を解決すべく、以下の適用例により実現される。
【０００６】
［適用例１］
適用例１の受信装置は、
時刻合わせの基準となる時刻を表す時刻情報を（ｋ＋ｎ／ｍ）秒（ｋは任意の正の整数。ｍは任意の正の整数。ｎはその絶対値がｍより小さい任意の整数。）毎に受信する受信回路と、
１秒毎に時刻を表す時刻信号を生成する時計回路と、
前記時刻情報により表される時刻と前記時刻信号により表される時刻とを比較する制御回路と、を含み、
前記時計回路は、前記制御回路が、前記時刻情報により表される時刻と前記時刻信号により表される時刻とが一致しないと判断するとき、当該時刻情報を受信した時点で、当該時刻情報により表される時刻を表す時刻信号を生成する。
【０００７】
適用例１の受信装置によれば、制御回路ＲＣが、（ｋ＋ｎ／ｍ）秒毎に受信する時刻情報により表される時刻と、１秒毎に生成される時刻信号により表される時刻とが一致しないと判断するとき、当該時刻情報を受信した時点で、当該時刻情報に表される時刻を表す時刻信号を生成することから、時刻合わせを１秒より短い時間間隔で行うことが可能となる。
【０００８】
［適用例２］
適用例２の送信装置は、
１秒毎に時刻を表す時刻信号を生成するクロック回路と、
時刻合わせの基準となる時刻を表す時刻情報を（ｋ＋ｎ／ｍ）秒（ｋは任意の正の整数。ｍは任意の正の整数。ｎはその絶対値がｍより小さい任意の整数。）毎に生成する制御回路と、
前記時刻信号により表される時刻と、前記時刻情報により表される時刻とが一致しないとき、正時である旨を示す正時情報を送信する送信回路と、を含む。
【０００９】
［適用例３］
適用例３の受信装置は、適用例２の送信装置に対向する受信装置であって、
前記正時情報を受信する受信回路と、
１秒毎に時刻を表す時刻信号を生成する時計回路であって、前記正時情報を受信した時点で、当該正時情報を受信した時点の直前に生成した時刻信号により表される時刻の次の時刻を表す時刻信号を生成する時計回路と、を含む。
【００１０】
適用例２の送信装置及び適用例３の受信装置によれば、送信装置は、１秒毎に生成される時刻信号により表される時刻と、（ｋ＋ｎ／ｍ）秒毎に生成される時刻情報とが一致しないと判断するとき、正時情報を送信し、受信装置では、当該正時情報に応答して時刻合わせを行うことから、時刻合わせを１秒より短い間隔で行うことが可能となる。
【００１１】
［適用例４］
時刻合わせの基準となる時刻を表す時刻情報を（ｋ＋ｎ／ｍ）秒（ｋは任意の正の整数。ｍは任意の正の整数。ｎはその絶対値がｍより小さい任意の整数。）毎に受信する受信工程と、
１秒毎に時刻を表す時刻信号を生成する時計工程と、
前記時刻情報により表される時刻と前記時刻信号により表される時刻とを比較する制御工程と、を含み、
前記時計工程は、前記制御工程が、前記時刻情報により表される時刻と前記時刻信号により表される時刻とが一致しないと判断するとき、当該時刻情報を受信した時点で、当該時刻情報により表される時刻を表す時刻信号を生成することを特徴とする受信方法。
【００１２】
［適用例５］
１秒毎に時刻を表す時刻信号を生成するクロック工程と、
時刻合わせの基準となる時刻を表す時刻情報を（ｋ＋ｎ／ｍ）秒（ｋは任意の正の整数。ｍは任意の正の整数。ｎはその絶対値がｍより小さい任意の整数。）毎に生成する制御工程と、
前記時刻信号により表される時刻と、前記時刻情報により表される時刻とが一致しないとき、正時である旨を示す正時情報を送信する送信工程と、を含むことを特徴とする送信方法。
【００１３】
［適用例６］
適用例５の送信方法と協働する受信方法であって、
前記正時情報を受信する受信工程と、
１秒毎に時刻を表す時刻信号を生成する時計工程であって、前記正時情報を受信した時点で、当該正時情報を受信した時点の直前に生成した時刻信号により表される時刻の次の時刻を表す時刻信号を生成する時計工程と、を含むことを特徴とする受信方法。
【００１４】
［適用例７］
時刻合わせの基準となる時刻を表す時刻情報を（ｐｋ＋ｎ／ｍ）秒（ｐは任意の正の整数。ｋは任意の正の整数。ｍは任意の正の整数。ｎはその絶対値がｍより小さい任意の整数。）毎に受信する受信回路と、
ｐ秒毎に時刻を表す時刻信号を生成する時計回路と、
前記時刻情報により表される時刻と前記時刻信号により表される時刻とを比較する制御回路と、を含み、
前記時計回路は、前記制御回路が、前記時刻情報により表される時刻と前記時刻信号により表される時刻とが一致しないと判断するとき、当該時刻情報を受信した時点で、当該時刻情報により表される時刻を表す時刻信号を生成することを特徴とする受信装置。
【００１５】
［適用例８］
ｐ秒（ｐは任意の正の整数。）毎に時刻を表す時刻信号を生成するクロック回路と、
時刻合わせの基準となる時刻を表す時刻情報を（ｐｋ＋ｎ／ｍ）秒（ｋは任意の正の整数。ｍは任意の正の整数。ｎはその絶対値がｍより小さい任意の整数。）毎に生成する制御回路と、
前記時刻信号により表される時刻と、前記時刻情報により表される時刻とが一致しないとき、正時である旨を示す正時情報を送信する送信回路と、を含むことを特徴とする送信装置。
【００１６】
［適用例９］
適用例８の送信装置に対向する受信装置であって、
前記正時情報を受信する受信回路と、
ｐ秒毎に時刻を表す時刻信号を生成する時計回路であって、前記正時情報を受信した時点で、当該正時情報を受信した時点の直前に生成した時刻信号により表される時刻の次の時刻を表す時刻信号を生成する時計回路と、を含むことを特徴とする受信装置。
【００１７】
［適用例１０］
時刻合わせの基準となる時刻を表す時刻情報を（ｐｋ＋ｎ／ｍ）秒（ｐは任意の正の整数。ｋは任意の正の整数。ｍは任意の正の整数。ｎはその絶対値がｍより小さい任意の整数。）毎に受信する受信工程と、
ｐ秒毎に時刻を表す時刻信号を生成する時計工程と、
前記時刻情報により表される時刻と前記時刻信号により表される時刻とを比較する制御工程と、を含み、
前記時計工程は、前記制御工程が、前記時刻情報により表される時刻と前記時刻信号により表される時刻とが一致しないと判断するとき、当該時刻情報を受信した時点で、当該時刻情報により表される時刻を表す時刻信号を生成することを特徴とする受信方法。
【００１８】
［適用例１１］
ｐ秒（ｐは任意の正の整数。）毎に時刻を表す時刻信号を生成するクロック工程と、
時刻合わせの基準となる時刻を表す時刻情報を（ｐｋ＋ｎ／ｍ）秒（ｋは任意の正の整数。ｍは任意の正の整数。ｎはその絶対値がｍより小さい任意の整数。）毎に生成する制御工程と、
前記時刻信号により表される時刻と、前記時刻情報により表される時刻とが一致しないとき、正時である旨を示す正時情報を送信する送信工程と、を含むことを特徴とする送信方法。
【００１９】
［適用例１２］
適用例１１の送信方法と協働する受信方法であって、
前記正時情報を受信する受信工程と、
ｐ秒毎に時刻を表す時刻信号を生成する時計工程であって、前記正時情報を受信した時点で、当該正時情報を受信した時点の直前に生成した時刻信号により表される時刻の次の時刻を表す時刻信号を生成する時計工程と、を含むことを特徴とする受信方法。
【発明を実施するための最良の形態】
【００２０】
実施例の送信装置及び受信装置について図面を参照して説明する。
《実施例１》
〈構成〉
図１は、実施例１の通信システムの構成を示す。実施例１の通信システムＣは、図１に示されるように、送信装置Ｔ及び受信装置Ｒを含む。送信装置Ｔは、例えば、電波時計、及び、正時を直接的に知得することができるタイプの携帯電話であり、受信装置Ｒは、正時を直接的には知得することができないタイプの携帯電話である。送信装置Ｔは、受信装置Ｒに向けて、時刻を表す時刻情報ＪＤ（図６に図示。）を含むパケットＰを、既存のパケットフォーム（例えば、ブルートゥース（Bluetooth）のパケットフォーム）で送出する。
【００２１】
図２は、送信装置と受信装置との間で行われる通信を示し、図３は、パケットの内容を示す。送信装置ＴＸは、受信装置ＲＸへ、時刻ｔ１、時刻ｔ２、時刻ｔ３、．．．のような周期的にパケットＰを送信する。当該パケットＰは、図３に示されるように、データ（例えば、画像データ、音声データ、文字データ）、時刻情報（例えば、複数ビットからなる。）、正時情報（例えば、１ビットからなる。）を含む。正時情報は、例えば、リザーブド・ビット又はペイロードに割り当てられる。
【００２２】
図２は、実施例の送信装置の構成を示し、図３は、実施例の受信装置の構成を示す。送信装置Ｔは、図２に示されるように、クロック回路ＣＫと、送信回路ＴＸと、制御回路ＴＣとを含む。受信装置Ｒは、図３に示されるように、受信回路ＲＸと、時計回路ＷＴと、制御回路ＲＣとを含む。
【００２３】
〈動作〉
図６は、実施例１の送信装置及び受信装置の動作を示すタイムチャートであり、図７（Ａ）は、実施例１の送信装置及び受信装置の動作（時刻合わせを行わないときの動作）を示すフローチャートであり、図７（Ｂ）は、実施例１の送信装置及び受信装置の動作（時刻合わせを行うときの動作）を示すフローチャートであり、である。以下、実施例１の動作について、図６のタイムチャート及び図７のフローチャートを参照して説明する。
【００２４】
〈送信装置の動作〉
クロック回路ＣＫは、図６に示されるように、１秒毎に時刻を表す時刻パルスＪＰを生成し、例えば、時刻「１９秒」を表す時刻パルスＪＰ１９、時刻「２０秒」を表す時刻パルスＪＰ２０、時刻「２１秒」を表す時刻パルスＪＰ２１を生成する。
【００２５】
送信回路ＴＸは、図６に示されるように、受信装置Ｒでの時刻合わせの基準となる時刻を表す時刻情報ＪＤを、周期的に（例えば（１＋２０／１００）秒毎に）、受信装置Ｒへ送信し、より正確には、時刻パルスＪＰにより表される時刻を表す時刻情報ＪＤを送信する。具体的には、時刻パルスＪＰ１９により示される時刻「１９秒」の間に、当該時刻「１９秒」を示す時刻情報ＪＤ１９を送信し、時刻パルスＪＰ２０により示される時刻「２０秒」の間における、前記時刻情報ＪＤ１９から（１＋２０／１００）秒経過した時点で、当該時刻「２０秒」を示す時刻情報ＪＤ２０を送信する。
【００２６】
他方で、送信回路ＴＸは、時刻パルスＪＰ２１により示される時刻「２１秒」の間には、前記時刻情報ＪＤ２０から（１＋２０／１００）秒経過した時点が存在しないことから、当該時刻「２１秒」を示す時刻情報ＪＤ２１を送信しない。
【００２７】
ここで、上記した周期は、一般形として、（ｋ＋ｎ／ｍ）秒（ｋは任意の正の整数。ｍは任意の正の整数。ｎはその絶対値がｍより小さい任意の整数。）で表すことができる。
【００２８】
制御回路ＴＣは、送信装置Ｔの全体的な動作を監視しかつ制御する。
【００２９】
〈受信装置の動作〉
以下では、説明及び理解を容易にすべく、時刻合わせを行わないときの動作（ステップＳ１０Ａ〜Ｓ１３Ａ）の説明、及び、時刻合わせを行うときの動作（ステップＳ１０Ｂ〜Ｓ１３Ｂ）の説明を同時に進める。
【００３０】
受信回路ＲＸは、図６に示されるように、送信装置Ｔから、前記時刻情報ＪＤを受信する。受信回路ＲＸは、例えば、時刻「１９秒」を表す時刻情報ＪＤ１９を受信し（ステップＳ１０Ａ）、また、時刻「２２秒」を表す時刻情報ＪＤ２２を受信する（ステップＳ１０Ｂ）。
【００３１】
時計回路ＷＴは、図６に示されるように、１秒毎に時刻を表す時刻パルスｊｐを生成し、例えば、時刻「１９秒」を表す時刻パルスｊｐ１９、時刻「２０秒」を表す時刻パルスｊｐ２０を生成する。
【００３２】
制御回路ＲＣは、図６に示されるように、前記時刻情報ＪＤにより表される時刻と前記時刻パルスｊｐにより表される時刻とを比較する。制御回路ＲＣは、例えば、時刻情報ＪＤ１９により表される時刻「１９秒」と、時刻パルスｊｐ１９により表される時刻「１９秒」とが一致するか否かを判断し（ステップＳ１１Ａ）、同様にして、時刻情報ＪＤ２２により表される時刻「２２秒」と、時刻パルスｊｐ２１により表される時刻「２１秒」とが一致するか否かを判断する（ステップＳ１１Ｂ）。
【００３３】
制御回路ＲＣは、時刻情報ＪＤにより表される時刻と、時刻パルスｊｐにより表される時刻とが一致すると判断するとき、何もせず、また、時計回路ＷＴは、時刻合わせを行わない。例えば、制御回路ＲＣは、時刻情報ＪＤ１９により表される時刻「１９秒」と、時刻パルスｊｐ１９により表される時刻「１９秒」とが一致すると判断するとき、何も行わず、また、時計回路ＷＴは、時刻合わせを行わない（ステップＳ１２Ａ、Ｓ１３Ａ）。
【００３４】
上記した動作とは対照的に、制御回路ＲＣは、時刻情報ＪＤにより表される時刻と、前記時刻パルスｊｐにより表される時刻とが一致しないと判断するとき、当該時刻情報ＪＤを受信した時点で、正時の旨を示す正時パルスＳＰを出力し、時計回路ＷＴは、当該時刻情報ＪＤにより表される時刻を表す時刻パルスｊｐを生成する。
【００３５】
具体的には、制御回路ＲＣは、時刻情報ＪＤ２２により表される時刻「２２秒」と、時刻パルスｊｐ２１により表される時刻「２１秒」とが一致しないと判断するとき、時刻情報ＪＤ２２を受信した時点で、正時パルスＳＰを出力し（ステップＳ１２Ｂ）、時計回路ＷＴは、当該正時パルスＳＰに応答して、時刻合わせを行う（ステップＳ１３Ｂ）。以後、時計回路ＷＴは、前記正時パルスＳＰを基準に１秒毎に、時刻パルスｊｐ２３、時刻パルスｊｐ２４、．．．を順次生成する。
【００３６】
〈効果〉
上述したように、実施例の受信装置Ｒでは、制御回路ＲＣが、受信回路ＲＸが（１＋２０／１００）秒間隔で受信する時刻情報ＪＤのうち時刻情報ＪＤ２２により表される時刻「２２秒」と、時計回路ＷＴが１秒間隔で生成する時刻パルスｉｐのうち時刻パルスｊｐ２１により表される時刻「２１秒」とが一致しないと判断するとき、当該時刻情報ＪＤ２２を受信した時点で、正時パルスＳＰを出力し、時計回路ＷＴが、当該正時パルスＳＰに応答して、前記時刻情報ＪＤ２２に表される時刻「２２秒」を表す時刻パルスｉｐ２２を生成することによって時刻合わせを行うことにより、当該時刻合わせを１秒より短い時間間隔で行うことが可能となる。
【００３７】
《実施例２》
〈構成〉
実施例２の通信システムＣは、図１に図示された実施例１の通信システムＣと同様に、送信装置Ｔ及び受信装置Ｒを含み、また、実施例２の送信装置Ｔは、図２に示されるように、実施例１の送信装置Ｔと同様な構成を有し、実施例２の受信装置Ｒは、図３に示されるように、実施例１の受信装置Ｒと同様な構成を有する。他方で、実施例２では、実施例１と異なり、送信装置Ｔは、受信装置Ｒに向けて、正時情報ＳＤ（図８に図示。）を含むパケットＰを送出する。
【００３８】
〈動作〉
図８は、実施例２の送信装置及び受信装置の動作を示すタイムチャートであり、図９（Ａ）は、実施例２の送信装置及び受信装置の動作（時刻合わせを行わないときの動作）を示すフローチャートであり、図９（Ｂ）は、実施例２の送信装置及び受信装置の動作（時刻合わせを行うときの動作）を示すフローチャートであり、である。以下、実施例２の動作について、図８のタイムチャート及び図９のフローチャートを参照して説明する。
【００３９】
以下では、説明及び理解を容易にすべく、時刻合わせを行わないときの動作の説明（ステップＳ２０Ａ〜Ｓ２４Ａ）、及び、時刻合わせを行うときの動作の説明（ステップＳ２０Ｂ〜Ｓ２４Ｂ）を同時に進める。
【００４０】
〈送信装置及び受信装置の動作〉
クロック回路ＣＫは、図８に示されるように、実施例１のクロック回路ＣＫと同様に、１秒毎に時刻を表す時刻パルスＪＰを生成する。クロック回路ＣＫは、例えば、時刻「１９秒」を表す時刻パルスＪＰ１９、時刻「２０秒」を表すＮＰ２０を表す時刻パルスＪＰ２０、時刻「２１秒」を表す時刻パルスＪＰ２１を生成する。
【００４１】
制御回路ＴＣは、図８に示されるように、時刻（期待される時刻）を表す制御パルスＣＰを周期的（例えば（１＋２０／１００）秒毎に）生成する。
【００４２】
ここで、当該周期は、一般形として、（ｋ＋ｎ／ｍ）秒（ｋは任意の正の整数。ｍは任意の正の整数。ｎはその絶対値がｍより小さい任意の整数。）で表すことができる。
【００４３】
制御回路ＴＣは、また、クロック回路ＣＫが生成する時刻パルスＪＰにより表される時刻と、当該制御回路ＴＣが生成する制御パルスＣＰにより表される時刻とが一致するか否かを判断し、一致すると判断するとき、制御回路ＴＣは、その判断の後に何もせず、送信回路ＴＸは、正時情報ＳＤを送信せず、受信回路ＲＸは、正時情報ＳＤを受信せず、時計回路ＷＴは、時刻合わせを行わない。
【００４４】
例えば、制御回路ＴＣは、図８に示されるように、時刻パルスＪＰ１９により表される時刻「１９秒」と、制御パルスＣＰ１９により表される時刻「１９秒」が一致すると判断するとき、制御回路ＴＣは、その後で何も出力せず、送信回路ＴＸは、正時情報ＳＤを送信せず、受信回路ＲＸは、正時情報ＳＤを受信せず、時計回路ＷＴは、時刻合わせを行わない（ステップＳ２０Ａ〜２４Ａ）。
【００４５】
対照的に、制御回路ＴＣが、クロック回路ＣＫが生成する時刻パルスＪＰにより表される時刻と、当該制御回路ＴＣが生成する制御パルスＣＰにより表される時刻とが一致しないと判断するとき、正時の旨を示す正時パルスＳＰを出力し、送信回路ＴＸは、当該正時パルスＳＰに応答して、正時の旨を示す正時情報ＳＤを送信し、受信回路ＲＸは、当該正時情報ＳＤを受信し、時計回路ＷＴは、当該正時情報ＳＤを契機にして時刻合わせを行う（ここで、正時情報ＳＤは、送信装置ＴＸ及び受信装置間で予め時刻合わせ、即ち、１秒以内での誤差補正をしているときには、正時の旨を示すだけで足り、他方で、当該時刻合わせ（誤差補正）をしていないときには、正時の旨及び時刻の両方を示す必要がある。）。
【００４６】
例えば、制御回路ＴＣは、時刻パルスＪＰ２２により表される時刻「２２秒」と、制御パルスＣＰ２１により表される時刻「２１秒」とが一致しないと判断するとき、正時パルスＳＰを出力し、送信回路ＴＸは、当該正時パルスＳＰに応答して、正時の旨及び「２２秒」を表す正時情報ＳＤを送信し、受信回路ＲＸは、当該正時情報ＳＤを受信し、時計回路ＷＴは、当該正時情報ＳＤに従って、時刻「２２秒」を表す時刻パルスｊｐ２２を生成し、即ち、時刻合わせを行う（ステップＳ２０Ｂ〜Ｓ２４Ｂ）。以後、時計回路ＷＴは、時刻パルスｊｐ２２を基準に１秒毎に、時刻パルスｊｐ２３、時刻パルスｊｐ２４、．．．を順次生成する。
【００４７】
〈効果〉
上述したように、実施例２の送信装置Ｔ及び受信装置Ｒによれば、送信装置Ｔでは、クロック回路ＣＫが１秒間隔で生成する時刻パルスＪＰのうち時刻パルスＪＰ２２により表される時刻「２２秒」と、制御回路ＴＣが（１＋２０／１００）秒間隔で生成する制御パルスＣＰのうち制御パルスＣＰ２１により表される時刻「２１秒」とが一致しないと判断するとき、制御回路ＴＣは、正時パルスＳＰを出力し、送信回路ＴＸは、当該正時パルスＳＰに応答して、正時の旨と「２２秒」である旨を示す正時情報ＳＤを受信装置ＲＸへ送信し、受信装置Ｒでは、受信回路ＲＸが、前記正時情報ＳＤを受信し、時計回路ＷＴが、当該正時情報ＳＤに応答して、時刻合わせを行うことにより、当該時刻合わせを１秒より短い間隔で行うことが可能となる。
【００４８】
《変形例》
図１０は、変形例の送信装置及び受信装置の動作を示すタイムチャートである。変形例の送信装置Ｔでは、送信回路ＴＸは、時刻情報ＪＤの送信を、実施例１で説明した（１＋２０／１００）秒間隔に代えて、（１−２０／１００）秒間隔で行う。この結果、例えば、時刻パルスＪＰ２２により表される時刻「２２秒」の間に、時刻「２２秒」を表す２つの時刻情報ＪＤ２２ａ、ＪＤ２２ｂを送信する。
【００４９】
他方で、変形例の受信装置Ｒでは、制御回路ＲＣは、時計回路ＷＴが生成する時刻パルスｊｐ２１により表される時刻「２１秒」と、最初に位置する時刻情報ＪＤ２２ａにより表される時刻「２２秒」とを比較し、一致しないと判断すると、正時パルスＳＰを出力し、時計回路ＷＴは、当該正時パルスＳＰに応答して、時刻合わせを行い、即ち、時刻「２２秒」を表す時刻パルスｊｐ２２を出力する。当該動作によっても、上記した実施例１と同様に、時刻合わせを１秒より短い間隔で行うことができる。
【００５０】
同様に、制御回路ＴＣが、実施例２で説明した（１＋２０／１００）秒間隔に代えて、（１−２０／１００）秒間隔で制御パルスＣＰを生成することによっても、上記した実施例２と同様に、時刻合わせを１秒より短い間隔で行うことができる。
【００５１】
《他の変形例》
図１１及び図１２は、他の変形例の送信装置の動作を示すタイムチャートである。他の変形例の送信回路ＴＸ１〜ＴＸ５は、実施例１の送信回路ＴＸが時間情報ＪＤの送信を（１＋２０／１００）秒間隔で行うことに代えて、図１１に示されるような、（１＋１５／１００）秒間隔、（１＋１０／１００）秒間隔、（１＋５／１００）秒間隔、（１＋１／１００）秒間隔、（１＋１／１０００）秒間隔で行うことによっても、上記したと同様に、時刻合わせを１秒より短い間隔で行うことができ、しかも、より一層正確に行うことができる。
【００５２】
また、他の変形例の送信回路ＴＸ１０〜ＴＸ５０は、実施例１の送信回路ＴＸが時間情報ＪＤの送信を（１＋２０／１００）秒間隔で行うことに代えて、図１２に示されるような、（２＋１０／１００）秒間隔、（５＋２０／１００）秒間隔、（１０＋２０／１００）秒間隔、（２０＋２０／１００）秒間隔、（５０＋２０／１００）秒間隔で行うことにことによっても、上記した実施例１と同様に、時刻合わせを１秒より短い間隔で行うことができ、しかも、周期が長いことから消費電力を低減することが可能となる。
【００５３】
実施例２の変形例として、上記した実施例１の変形例と同様に、制御回路ＴＣが制御パルスＣＰを生成する間隔を変えることによっても、上記したと同様な効果を得ることができる。
【図面の簡単な説明】
【００５４】
【図１】実施例１の通信システムの構成を示す図。
【図２】送信装置及び受信装置間の通信の動作を示す図。
【図３】パケットの内容を示す図。
【図４】実施例１の送信装置の構成を示す図。
【図５】実施例１の受信装置の構成を示す図。
【図６】実施例１の送信装置及び受信装置の動作を示すタイムチャート。
【図７】実施例１の受信装置の動作を示すフローチャート。
【図８】実施例２の送信装置及び受信装置の動作を示すタイムチャート。
【図９】実施例２の送信装置及び受信装置の動作を示すフローチャート。
【図１０】変形例の送信装置及び受信装置の動作を示すタイムチャート。
【図１１】他の変形例の送信装置の動作を示すタイムチャート（その１）。
【図１２】他の変形例の送信装置の動作を示すタイムチャート（その２）。
【符号の説明】
【００５５】
Ｃ…通信システム、Ｔ…送信装置、Ｒ…受信装置、ＣＫ…クロック回路、ＴＸ…送信回路、ＴＣ…制御回路、ＲＸ…受信回路、ＷＴ…時計回路、ＲＣ…制御回路。
【図１】
2009236530.tif 000003
【図２】
2009236530.tif 000004
【図３】
2009236530.tif 000005
【図４】
2009236530.tif 000006
【図５】
2009236530.tif 000007
【図６】
2009236530.tif 000008
【図７】
2009236530.tif 000009
【図８】
2009236530.tif 000010
【図９】
2009236530.tif 000011
【図１０】
2009236530.tif 000012
【図１１】
2009236530.tif 000013
【図１２】
2009236530.tif 000014